(57)【特許請求の範囲】
【請求項１】
内部空間が、仕切板（21）によって、室外ファン（8）の収納される空気室（22）と、電装品部品（40）の収納される機械室（23）とに区画される空気調和装置の室外機であって、
上記仕切板（21）には、上記空気室（22）と機械室（23）とを連通するための連通孔（24）が設けられているとともに、該仕切板（21）の機械室（23）側には、上記連通孔（24）を空気室（22）側出口とする通風路（27）が形成されていて、
上記機械室（23）内には、上記仕切板（21）との間で上記通風路（27）の機械室（23）側入口を構成する入口壁部（30a）と、上記通風路（27）上の機械室（23）側入口と空気室（22）側出口との間に配設され、上記仕切板（21）との間に上記通風路（27）の一部であるクランク状の通路部（26）を構成する通路壁部（36c）と、が設けられていて、
上記機械室（23）側入口は、上記クランク通路部（26）の入口と同等の通風面積を有し、
上記空気室（22）側出口は、上記クランク通路部（26）の入口の通風面積と同等以上の通風面積を有し、上記仕切板（21）の連通孔（24）の周縁部には、上記通路壁部（36c）との間で上記クランク通路部（26）を形成するように、上記連通孔（24）の開口方向から見て該通路壁部（36c）と重なる位置まで該連通孔（24）の内方に向かって膨出する膨出部（25）が設けられていることを特徴とする空気調和装置の室外機。
【請求項２】
内部空間が、仕切板（21）によって、室外ファン（8）の収納される空気室（22）と、電装品部品（40）の収納される機械室（23）とに区画される空気調和装置の室外機であって、
上記仕切板（21）には、上記空気室（22）と機械室（23）とを連通するための連通孔（24）が設けられているとともに、該仕切板（21）の機械室（23）側には、上記連通孔（24）を空気室（22）側出口とする通風路（27）が形成されていて、
上記機械室（23）内には、上記仕切板（21）との間で上記通風路（27）の機械室（23）側入口を構成する入口壁部（30a）と、上記通風路（27）上の機械室（23）側入口と空気室（22）側出口との間に配設され、上記仕切板（21）との間に上記通風路（27）の一部であるクランク状の通路部（26）を構成する通路壁部（36c）と、が設けられていて、
上記機械室（23）側入口は、上記クランク通路部（26）の入口と同等の通風面積を有し、
上記空気室（22）側出口は、上記クランク通路部（26）の入口の通風面積と同等以上の通風面積を有し、上記連通孔（24）は、上記空気室（22）の下方に向かって開口するように設けられていることを特徴とする空気調和装置の室外機。
【請求項３】
請求項１又は２において、
上記仕切板（21）の連通孔（24）よりも下側には、フィン部（33）が上記空気室（22）の内方に向かって突出するように、上記機械室（23）内の電装品部品（40）を冷却するためのヒートシンク（31）が設けられていることを特徴とする空気調和装置の室外機。
【請求項４】
請求項３において、
上記仕切板（21）には、開口（21a）が形成されていて、
上記ヒートシンク（31）は、上記開口（21a）内の上側が下方に向かって開口する上記連通孔（24）を構成するように、上記フィン部（33）の立設されたベース部（32）が上記仕切板（21）よりも機械室（23）側に位置付けられていることを特徴とする空気調和装置の室外機。
【発明の詳細な説明】
【技術分野】
【０００１】
本発明は、内部空間を仕切板によって空気室と機械室とに区画される空気調和装置の室外機に関し、該室外機内の通風構造の技術分野に属する。
【背景技術】
【０００２】
従来より、内部空間が仕切板によって空気室と機械室とに区画される空気調和装置の室外機が知られている。一般的に、このような室外機では、発熱量の多い電装品部品が収納された機械室を効率良く冷却するために、上記仕切板に空気室と機械室とを連通する連通孔を設け、該空気室内の室外ファンによって該連通孔を介して機械室から空気室へ空気を取り込むように構成されている。こうすることで、上記機械室内に空気の流れを形成することができ、該機械室内の電装品部品を冷却することができる。
【０００３】
また、上記室外機は、屋外に設置されることが多いため、雨水などが機械室内や電装品部品の収納された筐体内に浸入しないように構成されたものが知られている。例えば特許文献１には、電装品部品の収納された筐体を冷却のために空気室内に配置するとともに、該筐体内に雨水が浸入しないように、該筐体を密閉構造やラビリンス構造とした構成が開示されている。
【特許文献１】特開２００５−３２６０８２号公報
【発明の開示】
【発明が解決しようとする課題】
【０００４】
ところで、上述のように、機械室と空気室とを区画する仕切板に通風のための連通孔を設けると、該機械室内の室外ファンの回転によって雨水等が該仕切板に飛散し、上記連通孔を介して機械室内にまで浸入するおそれがある。そうすると、上記機械室内に電装品部品を配置する一般的な構成の場合には、該機械室内への雨水等の浸入によって電装品部品が故障する可能性がある。
【０００５】
本発明は、斯かる点に鑑みてなされたものであり、その目的とするところは、内部空間が仕切板によって空気室と機械室とに区画される空気調和装置の室外機において、上記仕切板に設けた連通孔に繋がる通風路の構成に工夫を凝らすことにより、機械室内への雨水等の浸入防止と該機械室内の電装品部品の冷却とを高い次元で両立させることにある。
【課題を解決するための手段】
【０００６】
上記目的を達成するために、本発明に係る空気調和装置（1）の室外機（2）では、空気室（22）と機械室（23）とを区画する仕切板（21）の連通孔（24）を空気室（22）側出口として該仕切板（21）の機械室（23）側に通風路（27）を形成するとともに、該通風路（27）の機械室（23）側入口の通風面積を該通風路（27）上の他の通風面積に対して所定の面積にすることで、空気室（22）側からの水の浸入を防止しつつ、該機械室（23）側入口の通風抵抗によって空気の流れが阻害されないようにした。
【０００７】
具体的には、第１の発明では、内部空間が、仕切板（21）によって、室外ファン（8）の収納される空気室（22）と、電装品部品（40）の収納される機械室（23）とに区画される空気調和装置の室外機を対象とする。
【０００８】
そして、上記仕切板（21）には、上記空気室（22）と機械室（23）とを連通するための連通孔（24）が設けられているとともに、該仕切板（21）の機械室（23）側には、上記連通孔（24）を空気室（22）側出口とする通風路（27）が形成されていて、上記機械室（23）内には、上記仕切板（21）との間で上記通風路（27）の機械室（23）側入口を構成する入口壁部（30a）と、上記通風路（27）上の機械室（23）側入口と空気室（22）側出口との間に配設され、上記仕切板（21）との間に上記通風路（27）の一部であるクランク通路部（26）を構成する通路壁部（36c）と、が設けられていて、上記機械室（23）側入口は、上記クランク通路部（26）の入口と同等の通風面積を有し、上記空気室（22）側出口は、上記クランク通路部（26）の入口の通風面積と同等以上の通風面積を有し、上記仕切板（21）の連通孔（24）の周縁部には、上記通路壁部（36c）との間で上記クランク通路部（26）を形成するように、上記連通孔（24）の開口方向から見て該通路壁部（36c）と重なる位置まで該連通孔（24）の内方に向かって膨出する膨出部（25）が設けられているのが好ましい。
【０００９】
この構成により、仕切板（21）の連通孔（24）を空気室（22）側出口とする通風路（27）は、該仕切板（21）と入口壁部（30a）とによって機械室（23）側入口が構成されるとともに、該仕切板（21）と通路壁部（36c）とによってクランク通路部（26）が構成されるため、上記空気室（22）から雨水等が通風路（27）内に浸入しても、上記クランク通路部（26）及び機械室（23）側入口からなるラビリンス構造によって、雨水等が機械室（23）側へ浸入しにくくすることができる。
【００１０】
そして、上記仕切板（21）と入口壁部（30a）とによって構成される機械室（23）側入口の通風面積が、該仕切板（21）と通路壁部（36c）とによって構成されるクランク通路部（26）の入口の通風面積と同等であり、且つ、上記空気室（22）側出口の通風面積が、該クランク通路部（26）の入口の通風面積以上になるように構成されているため、上記機械室（23）側入口の通風抵抗が、クランク通路部（26）の入口や空気室（22）側出口よりも大きくなるのを防止することができる。これにより、上記通風路（27）の通風抵抗が上記機械室（23）側入口によって大きくなるのを防止でき、該通風路（27）を介して機械室（23）から空気室（22）へ空気をスムーズに流すことができる。したがって、上記機械室（23）内の電装品部品（40）を効率良く冷却することができる。
【００１１】
また、こうすることで、通風路（27）上にクランク通路部（26）を構成することができるとともに、該通風路（27）の空気室（22）側出口である連通孔（24）の一部を膨出部（25）によって塞ぐことができ、該連通孔（24）を介して空気室（22）内の雨水等が通風路（27）内に浸入するのをより確実に防止することができる。
【００１２】
また、第２の発明では、内部空間が、仕切板（21）によって、室外ファン（8）の収納される空気室（22）と、電装品部品（40）の収納される機械室（23）とに区画される空気調和装置の室外機を対象とする。
【００１３】
そして、上記仕切板（21）には、上記空気室（22）と機械室（23）とを連通するための連通孔（24）が設けられているとともに、該仕切板（21）の機械室（23）側には、上記連通孔（24）を空気室（22）側出口とする通風路（27）が形成されていて、上記機械室（23）内には、上記仕切板（21）との間で上記通風路（27）の機械室（23）側入口を構成する入口壁部（30a）と、上記通風路（27）上の機械室（23）側入口と空気室（22）側出口との間に配設され、上記仕切板（21）との間に上記通風路（27）の一部であるクランク通路部（26）を構成する通路壁部（36c）と、が設けられていて、上記機械室（23）側入口は、上記クランク通路部（26）の入口と同等の通風面積を有し、上記空気室（22）側出口は、上記クランク通路部（26）の入口の通風面積と同等以上の通風面積を有し、上記連通孔（24）は、上記空気室（22）の下方に向かって開口するように設けられているのが好ましい（第２の発明）。この構成により、仕切板（21）の連通孔（24）を空気室（22）側出口とする通風路（27）は、該仕切板（21）と入口壁部（30a）とによって機械室（23）側入口が構成されるとともに、該仕切板（21）と通路壁部（36c）とによってクランク通路部（26）が構成されるため、上記空気室（22）から雨水等が通風路（27）内に浸入しても、上記クランク通路部（26）及び機械室（23）側入口からなるラビリンス構造によって、雨水等が機械室（23）側へ浸入しにくくすることができる。
【００１４】
そして、上記仕切板（21）と入口壁部（30a）とによって構成される機械室（23）側入口の通風面積が、該仕切板（21）と通路壁部（36c）とによって構成されるクランク通路部（26）の入口の通風面積と同等であり、且つ、上記空気室（22）側出口の通風面積が、該クランク通路部（26）の入口の通風面積以上になるように構成されているため、上記機械室（23）側入口の通風抵抗が、クランク通路部（26）の入口や空気室（22）側出口よりも大きくなるのを防止することができる。これにより、上記通風路（27）の通風抵抗が上記機械室（23）側入口によって大きくなるのを防止でき、該通風路（27）を介して機械室（23）から空気室（22）へ空気をスムーズに流すことができる。したがって、上記機械室（23）内の電装品部品（40）を効率良く冷却することができる。また、これにより、空気室（22）内の室外ファン（8）の回転によって飛散した雨水等が、直接、連通孔（24）内に浸入するのを極力防止することができる。すなわち、上記連通孔（24）は、空気室（22）の下方に向かって開口しているため、上記室外ファン（8）の回転により、仕切板（21）に対して横方向に飛散する雨水等が上記連通孔（24）内に直接、入るのを防止できる。
【００１５】
また、上述のような各構成は、上記仕切板（21）の連通孔（24）よりも下側には、フィン部（33）が上記空気室（22）の内方に向かって突出するように、上記機械室（23）内の電装品部品（40）を冷却するためのヒートシンク（31）が設けられている構成に適用するのが好ましい（第３の発明）。特に、上記仕切板（21）に、開口（21a）が形成されていて、上記開口（21a）内の上側が下方に向かって開口する上記連通孔（24）を構成するように、上記フィン部（33）の立設されたヒートシンク（31）のベース部（32）が上記仕切板（21）よりも機械室（23）側に位置付けられる構成に対して適用するのが好ましい（第４の発明）。
【００１６】
このように、上記連通孔（24）の下側に、機械室（23）内の電装品部品（40）を冷却するためのヒートシンク（31）が配設された構成では、空気室（22）内の室外ファン（8）によって飛散した水は、該ヒートシンク（31）のフィン部（33）に当たり、上記連通孔（24）から通風路（27）内に浸入するおそれがあるが、上述の第１，２の発明のような構成にすることで、該通風路（27）内への雨水等の浸入を防止することができ、機械室（23）内に雨水等が浸入して電装品部品（40）が損傷を受けるのを防止することができる。
【発明の効果】
【００１７】
以上のように、本発明によれば、室外機（2）の内部空間を空気室（22）と機械室（23）とに区画する仕切板（21）に形成された連通孔（24）によって、通風路（27）の空気室（22）側出口を構成するとともに、該仕切板と入口壁部（30a）とによって該通風路（27）の機械室（23）側入口を構成し、該仕切板と通路壁部（36c）とによって通風路（27）の一部をなすクランク通路部（26）を構成したため、空気室（22）側出口から通風路（27）を介して機械室（23）内へ雨水等が浸入するのを防止することができる。また、上記機械室（23）側入口の通風面積が上記クランク通路部（26）の入口の通風面積と同等であり、且つ、上記空気室（22）側出口の通風面積が上記クランク通路部（26）の入口の通風面積と同等以上であるため、上記機械室（23）側入口の通風抵抗がクランク通路部（26）の入口や空気室（22）側出口に比べて大きくなるのを防止することができ、上記通風路（27）を介して機械室（23）から空気室（22）へ空気をスムーズに流すことができる。よって、上述の構成により、通風路（27）を介して空気室（22）から機械室（23）内へ雨水等が浸入するのを防止しつつ、該通風路（27）内の機械室（23）から空気室（22）への空気の流れを阻害することなく、該機械室（23）内の電装品部品（40）を効率良く冷却することができる。
【００１８】
また、第１の発明によれば、上記仕切板（21）の連通孔（24）の周縁部には、通路壁部（36c）とクランク通路部（26）を構成するように、該連通孔（24）の内方に向かって膨出する膨出部（25）が設けられているため、通風路（27）の一部であるクランク通路部（26）を構成することができ、該通風路（27）内を雨水等が機械室（23）側へ移動するのを防止することができる。また、上記膨出部（25）によって上記連通孔（24）の一部を塞ぐことによって、空気室（22）側出口である該連通孔（24）から雨水等が浸入するのをできるだけ防止することができる。
【００１９】
また、第２の発明によれば、上記連通孔（24）は、空気室（22）の下方に向かって開口するように設けられているため、該空気室（22）内で室外ファン（8）の回転によって雨水等が飛散した場合でも、該雨水等が上記連通孔（24）内に直接、浸入するのを防止することができる。
【００２０】
また、第３の発明によれば、上記仕切板（21）の連通孔（24）よりも下側には、空気室（22）内方に向かってフィン部（33）が突出するように、機械室（23）内の電装品部品（40）を冷却するためのヒートシンク（31）が設けられているため、この構成の場合には、空気室（22）内の室外ファン（8）の回転によって飛散した雨水等は、上記ヒートシンク（31）のフィン部（33）に当たって、上記連通孔（24）から通風路（27）内へ浸入しやすくなるが、上記第１，２の発明のような構成にすることで、機械室（23）内に雨水等が浸入するのを確実に防止することができる。
【００２１】
特に、第４の発明によれば、上記仕切板（21）に形成された開口（21a）の上側が下方に向かって開口する上記連通孔（24）を構成するように、上記ヒートシンク（31）のベース部（33）が該開口（21a）内の上記仕切板（21）よりも機械室（23）側に位置付けられた構成の場合、室外ファン（8）の回転によって飛散した雨水等がヒートシンク（31）のフィン部（33）に当たって、連通孔（24）内により入りやすい構成となるが、上記第１，２の発明のような構成にすることで、上記通風路（27）を介して機械室（23）内へ水が浸入するのを確実に防止することができる。
【発明を実施するための最良の形態】
【００２２】
以下、本発明の実施形態を図面に基づいて詳細に説明する。なお、以下の好ましい実施形態の説明は、本質的に例示に過ぎず、本発明、その適用物或いはその用途を制限することを意図するものではない。
【００２３】
本実施形態は、本発明に係る室外機（2）を備えた空気調和装置（1）に関する。この空気調和装置（1）では、室外機（2）が例えば屋外などに設置される。なお、以下では、まず本実施形態に係る空気調和装置（1）の全体構成について説明し、次に室外機（2）の構成について説明する。
【００２４】
〈全体構成〉
図１に示すように、上記空気調和装置（1）は、室外機（2）と室内機（3）とを備えている。この室外機（2）の内部には、圧縮機（4）、室外熱交換器（5）、膨張弁（6）、四路切換弁（7）および室外ファン（8）が設けられている。上記室内機（3）の内部には、室内熱交換器（12）および室内ファン（11）が設けられている。
【００２５】
上記室外機（2）において、圧縮機（4）の吐出側は、四路切換弁（7）の第１ポート（P1）に接続されている。圧縮機（4）の吸入側は、四路切換弁（7）の第３ポート（P3）に接続されている。
【００２６】
上記室外熱交換器（5）は、クロスフィン式のフィン・アンド・チューブ型熱交換器として構成されている。この室外熱交換器（5）の一端は、四路切換弁（7）の第４ポート（P4）に接続されている。一方、上記室外熱交換器（5）の他端は、液側閉鎖弁（9a）に接続されている。
【００２７】
上記室外ファン（8）は、室外熱交換器（5）の近傍に設けられている。この室外熱交換器（5）では、室外ファン（8）によって流れる室外空気と該熱交換器（5）内を流通する冷媒との間で熱交換が行われる。室外熱交換器（5）と液側閉鎖弁（9a）との間には、開度可変の膨張弁（6）が設けられている。また、四路切換弁（7）の第２ポート（P2）はガス側閉鎖弁（9b）に接続されている。
【００２８】
上記四路切換弁（7）は、第１ポート（P1）と第２ポート（P2）とが互いに連通し且つ第３ポート（P3）と第４ポート（P4）とが互いに連通する第１状態（図１に実線で示す状態）と、第１ポート（P1）と第４ポート（P4）とが互いに連通し且つ第２ポート（P2）と第３ポート（P3）とが互いに連通する第２状態（図１に破線で示す状態）とが切り換え可能になっている。
【００２９】
この空気調和装置（1）では、四路切換弁（7）が第１状態の場合、暖房運転が行われ、四路切換弁（7）が第２状態の場合、冷房運転が行われる。暖房運転では、図１に示す冷媒回路において、室外熱交換器（5）が蒸発器として機能し且つ室内熱交換器（12）が凝縮器として機能する蒸気圧縮式冷凍サイクルが行われる。一方、冷房運転では、図１に示す冷媒回路において、室外熱交換器（5）が凝縮器として機能し且つ室内熱交換器（12）が蒸発器として機能する蒸気圧縮式冷凍サイクルが行われる。
【００３０】
〈室外機の構成〉
以下で、上記室外機（2）の具体的な構成を図２に基づいて説明する。
【００３１】
図２にカバーや配管等を取り外した状態で示すように、上記室外機（2）は、ベース板（20）上に上記室外熱交換器（5）や室外ファン（8）、圧縮機（4）等が配設されたもので、内部を、仕切板（21）によって、空気室（22）と機械室（23）とに区画されている。この仕切板（21）は、上記ベース板（20）上に上下方向が長手方向となるように立設されているとともに、その長手方向に亘って幅方向中央部が上記空気室（22）側に膨出するように形成されている。
【００３２】
上記仕切板（21）によって区画される上記空気室（22）内には、上記室外ファン（8）が収納されていて、該室外ファン（8）の側方及び後方には上記室外熱交換器（5）が配設されている。すなわち、この室外熱交換器（5）は、上記室外ファン（8）を囲むように平面視で略Ｌ字状に形成されている。なお、上記室外ファン（8）は、空気室（22）内を負圧にして、該空気室（22）内に外気を導入するように構成されている。
【００３３】
一方、上記仕切板（21）によって区画される上記機械室（23）内には、上記圧縮機（4）や四路切換弁（図示省略）、電装品部品（40）の収納された電装品箱（30）等が配設されている。この電装品箱（30）は、上記仕切板（21）の上部に取り付けられている。
【００３４】
〈仕切板まわりの構成〉
次に、上記仕切板（21）まわりの構成について図３〜図５に基づいて詳細に説明する。
【００３５】
図３に仕切板（21）の上部を拡大して示すように、該仕切板（21）の上部には、開口（21a）が形成されていて、該開口（21a）内には、上記電装品箱（30）内の電装品部品（40）を冷却するためのヒートシンク（31）が配設されている。このヒートシンク（31）は、金属製の部材からなり、図４に示すように、板状のベース部（32）と、該ベース部（32）の一面側に立設された複数のフィン部（33）とを備えている。そして、上記ヒートシンク（31）は、ベース部（32）が機械室（23）内の電装品部品（40）と熱的に接続されるとともに、フィン部（33）が空気室（22）の内方に向かって延びるように、上記仕切板（21）の開口（21a）内に配置されている。これにより、上記機械室（23）内の電装品部品（40）で発生した熱は、上記ヒートシンク（31）を介して、空気室（22）内に放熱される。
【００３６】
上記ヒートシンク（31）は、図４に示すように、上記仕切板（21）の開口（21a）内で、ベース部（33）が該仕切板（21）よりも機械室（23）側内方に位置付けられている。これにより、上記ヒートシンク（31）と仕切板（21）との間には、隙間が形成されている。上記図３に示すように、上記ヒートシンク（31）の下部と仕切板（21）との隙間は、塞ぎ板（34）によって塞がれる一方、該ヒートシンク（31）の上部と仕切板（21）との隙間（24）は、空気室（22）と機械室（23）との連通孔を構成する（図４参照）。すなわち、このような隙間（24）を設けることにより、該隙間（24）を介して、機械室（23）側から上記室外ファン（8）によって負圧になった空気室（22）内へ空気が流れることになる（図２〜４の白抜き矢印参照）。すなわち、上記隙間（24）は、空気の通風路の空気室（22）側出口を構成する。また、上述のように隙間（24）を形成することで、上記ヒートシンク（31）の上部と仕切板（21）との間で下方に開口するように空気室（22）側出口を形成することができ、これにより、空気室（22）内で室外ファン（8）の回転により雨水等が飛散した場合でも、上記隙間（24）内に直接、雨水等が浸入するのを防止できる。
【００３７】
図４に示すように、上記仕切板（21）の開口（21a）の上側の周縁部には、上記ヒートシンク（31）の上部と該仕切板（21）との隙間（24）内に膨出する膨出部（25）が形成されている。この膨出部（25）は、平面視（隙間（24）の開口方向から見て）で後述する接続部材（36）の下部（36c）に重なる位置まで膨出していて、空気室（22）内の雨水等が室外ファン（8）の回転によって飛散した場合に、上記隙間（24）から雨水等が直接、浸入するのを防止するように構成されている。
【００３８】
ここで、上記ヒートシンク（31）は、上記仕切板（21）の開口（21a）の周縁部に固定された取付部材（35）に取り付けられている。この取付部材（35）は、その外周部分で上記仕切板（21）の開口（21a）の周縁部に接続されており、該取付部材（35）の中央部分に形成された開口（35a）内に上記ヒートシンク（31）のベース部（33）が配置されている。また、上記取付部材（35）の上部は、上記電装品箱（30）の上面部（30a）を支持している。具体的には、該電装品箱（30）の上面部（30a）が、接続部材（36）を介して上記取付部材（35）の上部に接続されている。
【００３９】
上記接続部材（36）は、断面視で略コの字状に形成されていて、水平方向に延びる上部（36a）が上記電装品箱（30）の上面部（30a）の端部に接続されている一方、上下方向に延びる縦壁部（36b）が上記取付部材（35）に接続されている。そして、上記接続部材（36）の水平方向に延びる下部（36c）（通路壁部）は、その先端部が、上記仕切板（21）の開口（21a）内に膨出する膨出部（25）と平面視で重なるような位置まで延びている。この接続部材（36）の下部（36c）と該膨出部（25）とによって、断面視で略クランク状に延びるクランク通路部（26）が構成される。すなわち、上記隙間（24）の機械室（23）側には、空気室（22）と機械室（23）とを連通させる連通路（27）が形成されていて、この連通路（27）の空気室（22）側を構成する上記クランク通路部（26）は、断面視で略クランク状に延びているため、空気室（22）内の雨水が上記隙間（24）から浸入しても、上記連通路（27）を介して機械室（23）側に雨水が浸入するのを防止できる。
【００４０】
また、上記接続部材（36）の上部（36a）に接続される上記電装品箱（30）の上面部（30a）（入口壁部）は、その端部が、上記連通路（27）内に突出するように形成されていて、上記仕切板（21）との間で、該連通路（27）の機械室（23）側の入口を構成している。このように、上記電装品箱（30）の上面部（30a）によって上記連通路（27）の機械室側の入口を構成することで、上記クランク通路部（26）と合わせて、連通路（27）をラビリンス構造にすることができ、該連通路（27）内に浸入した空気室（22）内の雨水が機械室（23）側へ浸入するのをより確実に防止することができる。なお、上記電装品箱（30）の上面部（30a）の突出端部は、下方に折り曲げられており、機械室（23）側からの空気の流れを阻害しないように構成されている。
【００４１】
上記仕切板（21）とヒートシンク（31）との隙間（24）、該仕切板（21）と上記接続部材（36）の下部（36c）との隙間、及び、該仕切板（21）と上記電装品箱（30）の上面部（30a）との隙間は、それぞれ、図５（Ａ）〜（Ｃ）に斜線で示すような形状を有している。これらの隙間のうち、上記仕切板（21）と電装品箱（30）の上面部（30a）との隙間の面積Ｘ（機械室側入口の通風面積、図５（Ａ）における斜線部）は、該仕切板（21）と接続部材（36）の下部（36c）との隙間の面積Ｙ（クランク通路部の入口の通風面積、図５（Ｂ）における斜線部）と同等の面積になっている。これにより、上述のように、室外ファン（8）によって空気室（22）内が負圧になって、機械室（23）から空気室（22）へ空気が流れる場合に、上記面積Ｘの部分が大きな通風抵抗になるのを防止できる。すなわち、該面積Ｘの部分の通風抵抗は、上記面積Ｙの部分の通風抵抗と同等になるので、該面積Ｘの部分で空気の流れが絞られるのを防止できる。
【００４２】
また、上記仕切板（21）とヒートシンク（31）との隙間（24）の面積Ｚ（空気室側出口の通風面積、図５（Ｃ）における斜線部）は、上述の面積Ｘ、Ｙと同等かそれ以上であるのが好ましい。こうすることで、上記面積Ｚの部分が、大きな通風抵抗となって、機械室（23）から空気室（22）への空気の流れを阻害するのを防止できる。上記面積Ｚを、上記面積Ｘ、Ｙと同等にすれば、該面積Ｚの部分での通風抵抗の増大を防止しつつ、該面積Ｚの部分から空気室（22）内の雨水が浸入するのを防止することができる。
【００４３】
ここで、本実施形態において、面積が同等とは、面積が同一の場合だけでなく、通風に影響のない程度に面積にばらつきがある場合も含む。
【００４４】
−実施形態の効果−
以上より、この実施形態では、室外機（2）の内部を空気室（22）と機械室（23）とに区画する仕切板（21）の上部に、該空気室（22）と機械室（23）とを連通する連通孔を構成する隙間（24）を形成するとともに、その上方に、該隙間（24）の一部を覆って断面視で略クランク状のクランク通路部（26）を形成するように接続部材（36）の下部（36c）を設けることで、室外ファン（8）の回転によって飛散した空気室（22）内の雨水等が、連通路（27）を介して機械室（23）側に浸入するのを防止できる。
【００４５】
しかも、接続部材（36）を介してヒートシンク（31）の取付部材（35）に接続される電装品箱（30）の上面部（30a）は、その先端部分が上記連通路（27）の内方に向かって突出するように構成されているため、該電装品箱（30）の上面部（30a）と仕切板（21）との隙間によって、上記連通路（27）の機械室（23）側の入口が構成され、該隙間によっても、上記連通路（27）を介して空気室（22）内の雨水等が機械室（23）側に浸入するのを防止できる。
【００４６】
また、空気室（22）側出口を構成する上記隙間（24）は、空気室（22）の下方に向かって開口するように設けられているため、該空気室（22）内で室外ファン（8）の回転により雨水等が飛散した場合でも、上記隙間（24）内に直接、雨水等が浸入するのを防止できる。
【００４７】
そして、上記仕切板（21）と電装品箱（30）の上面部との隙間の面積Ｘは、該仕切板（21）と上記接続部材（36）の下部（36c）との隙間の面積Ｙと同等であるため、該面積Ｘの部分によって、上記連通路（27）内の空気の流れが阻害されるのを防止できる。また、上記隙間（24）は、仕切板（21）の開口（21a）の周縁部上側から隙間内に膨出する膨出部（25）によって、その面積Ｚが上記面積Ｘ、Ｙと同等かそれ以上になっているため、該隙間（24）によって空気の流れが阻害されるのを防止できる。特に、上記隙間（24）の面積Ｚを上記面積Ｘ、Ｙと同等にすることで、上記連通路（27）内の空気の流れが阻害されることなく、該隙間（24）からの雨水等の浸入も極力、防止することができる。
【００４８】
さらに、本実施形態の構成では、連通路（27）の空気室（22）側出口を構成する隙間（24）の下方に、ヒートシンク（31）のフィン部（33）が位置しているため、空気室（22）内で室外ファン（8）の回転により雨水等が飛散した場合、該飛散した雨水等は上記フィン部（33）に当たって、上記隙間（24）から連通路（27）内に浸入しやすくなるが、上述のような各構成にすることで、該連通路（27）を介して機械室（23）側に雨水等が浸入するのを確実に防止することができる。
【００４９】
《その他の実施形態》
上記実施形態は、以下のように構成してもよい。
【００５０】
上記実施形態では、室外機（2）の内部空間を空気室（22）と機械室（23）とに区画する仕切板（21）を、その幅方向中央部が該空気室（22）側に膨出するように構成しているが、この限りではなく、上記室外機（2）の内部空間を区画できるような構成であればどのような形状であってもよい。
【００５１】
また、上記実施形態では、連通路（27）の空気室（22）側出口を構成する隙間（24）の下方に、機械室（23）内の電装品部品（40）を冷却するためのヒートシンク（31）を設けているが、この限りではなく、該ヒートシンク（31）が他の箇所に設けられていたり、該ヒートシンク（31）のない構成に対して本発明を適用してもよい。
【産業上の利用可能性】
【００５２】
以上説明したように、本発明は、内部空間が仕切板によって空気室と機械室とに区画された空気調和装置の室外機に特に有用である。
【図面の簡単な説明】
【００５３】
【図１】図１は、本発明の実施形態に係る室外機を備えた空気調和装置の概略構成を示す配管系統図である。
【図２】図２は、室外機のカバー及び配管等を外した状態を示す斜視図である。
【図３】図３は、仕切板の上部の構造を示す斜視図である。
【図４】図４は、図３におけるIV-IV線断面図である。
【図５】図５は、図４にける（Ａ）Va-Va線断面図、（Ｂ）Vb-Vb線断面図、（Ｃ）Vc-Vc線断面図である。
【符号の説明】
【００５４】
1       空気調和装置
2       室外機
8       室外ファン
21      仕切板
22      空気室
23      機械室
24      隙間（連通孔）
25      膨出部
26      クランク通路部
27      連通路（通風路）
30      電装品箱
30a     上面部（入口壁部）
31      ヒートシンク
32      ベース部
33      フィン部
36      接続部材
36c     下部（通路壁部）
40      電装品部品
【図１】
0004862814.tif 000002
【図２】
0004862814.tif 000003
【図３】
0004862814.tif 000004
【図４】
0004862814.tif 000005
【図５】
0004862814.tif 000006